(57)【要約】      （修正有）【課題】ガラス繊維織物を含む膜材料を経方向に懸垂させた膜天井とした場合にもシワの発生を抑制することができる膜材料及び該膜材料を用いた膜天井の提供。【解決手段】ガラス繊維織物と、該ガラス繊維織物にコーティング又は貼着された樹脂と、を含む膜材料であって、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上である、膜材料。【選択図】なし【特許請求の範囲】
【請求項１】
ガラス繊維織物と、該ガラス繊維織物にコーティング又は貼着された樹脂と、を含む膜材料であって、
ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上である、膜材料。
【請求項２】
ＫＥＳ  ＦＢ−２  ＰＵＲＥＢＥＮＧＩＮＧＴＥＳＴＥＲにより測定される前記膜材料の、前記ガラス繊維織物の経方向における曲げ特性が１０〜４０ｇｆ・ｃｍ２／ｃｍである、請求項１に記載の膜材料。
【請求項３】
前記ガラス繊維織物の緯方向における曲げ特性と前記ガラス繊維織物の経方向における曲げ特性との比（ガラス繊維織物の緯方向における曲げ特性／ガラス繊維織物の経方向における曲げ特性）が１．１〜１．６である、請求項１又は２に記載の膜材料。
【請求項４】
前記膜材料の質量（ｇ／ｍ２）に対する前記樹脂の質量（ｇ／ｍ２）の割合が１２〜２５質量％である、請求項１〜３のいずれか１項に記載の膜材料。
【請求項５】
前記ガラス繊維織物が平織組織である、請求項１〜４のいずれか１項に記載の膜材料。
【請求項６】
前記樹脂が、非晶性の熱可塑性樹脂である、請求項１〜５のいずれか１項に記載の膜材料。
【請求項７】
前記請求項１〜６のいずれか１項に記載の膜材料を含む膜天井。
【請求項８】
前記膜材料が前記ガラス繊維織物の経方向に自由懸垂した状態で配置される、請求項７に記載の膜天井。
【発明の詳細な説明】
【技術分野】
【０００１】
本発明は、膜材料、特に膜天井に好適な膜材料及びこれを用いた膜天井に関する。
【背景技術】
【０００２】
平成２３年３月１１日に発生した東日本大震災では、体育館等の大規模空間を有する建築物の天井が脱落する被害が生じ、人命が失われた施設もあった。そして、地震時における天井脱落による被害を防止すべく、平成２５年７月に建築基準法施行令の一部改正ならびに同年８月「天井脱落対策に係る一連の技術基準告示（平成２５年国土交通省告示第７７１号他）」が公布（平成２６年４月１日から施行）されている。これにより「特定天井」に該当する場合には、これらの技術基準に従って脱落防止対策を行うことが義務づけられた。これらに伴い、近年、不燃性に優れ、比較的軽いガラス繊維織物を用いた膜天井が注目されている。
【０００３】
膜天井用ガラスクロスとして、経糸、緯糸を製織してなる膜天井用ガラスクロスであって、一方の糸をバルキー加工されていないガラス繊維糸、他方の糸をバルキー加工されたガラス繊維糸を使用し、前記バルキー加工されていないガラス繊維糸の織密度と前記バルキー加工されたガラス繊維糸の織密度との和が８０〜９３本／２５ｍｍであり、前記バルキー加工されていないガラス繊維糸の織密度Ａと前記バルキー加工されたガラス繊維糸の織密度Ｂとの比（Ｂ／Ａ）が、０．６５〜０．９５であり、前記ガラスクロスの織組織が、二重織であり、前記ガラスクロスの開口率が、０．０２〜１．０％である膜天井用ガラスクロスが知られている（例えば、特許文献１参照。）。該膜天井用ガラスクロスによれば、バルキー加工されているガラス繊維糸を用い、さらに織組織が二重織であり、特定の織密度を備えることで、吸音性にすぐれており、人の声の周波数領域である低周波数領域の吸音性に優れ、天井膜として用いたときに人の声の反響が抑えられているとされている。
【先行技術文献】
【特許文献】
【０００４】
【特許文献１】ＷＯ２０１４／１７１１８８パンフレット
【非特許文献】
【０００５】
【非特許文献１】“膜天井事例集”、［ｏｎｌｉｎｅ］、一般社団法人日本膜構造協会、［平成２８年９月２９日検索］、インターネット＜ＵＲＬ：ｈｔｔｐ：／／ｗｗｗ．ｍａｋｕｋｏｕｚｏｕ．ｏｒ．ｊｐ／ｂｌｏｇ／ｗｐ／ｗｐ−ｃｏｎｔｅｎｔ／ｕｐｌｏａｄｓ／２０１５／１２／ｍａｋｕ＿ｔｅｎｊｙｏ＿００４．ｐｄｆ＞
【発明の概要】
【発明が解決しようとする課題】
【０００６】
ところで、膜天井の主な工法として、全周定着タイプ、２辺定着タイプ、ポイント定着タイプが挙げられる（例えば、非特許文献１参照。）。図１は、非特許文献１から引用した、膜天井の主な工法のうち、２辺定着タイプの例を説明する模式図であり、図２は、非特許文献１から引用した、膜天井の主な工法のうち、ポイント定着タイプの例を説明する模式図である。図１に例示するように、２辺定着タイプは、膜材料である生地の両端（２辺）のみを定着し、膜を一方向に懸垂させる工法である。また、図２に例示するように、ポイント定着タイプは、生地の外周にポイントで金物を取り付け、幾分か懸垂させながらテンションをかける工法である。また、ガラス繊維織物は、その製造工程上、経方向（経糸方向）に長尺である。そして、ガラス繊維織物を用いた膜材料を適用する場合、長尺な経方向に懸垂させることを考えた。
【０００７】
しかしながら、本発明者等が検討した結果、特許文献１に開示されている膜天井用ガラスクロスは、例えば、上記２辺定着タイプ及びポイント定着タイプ等、膜材料を経方向に懸垂させた膜天井とした場合、該膜天井用ガラスクロスの経方向に沿ってシワが発生しやすくなる場合があることを知得した。そして、膜材料にシワが発生すると美感を損なうという問題がある。
【０００８】
そこで、本発明は、ガラス繊維織物を含む膜材料を経方向に懸垂させた膜天井とした場合にもシワの発生を抑制することができる膜材料及び該膜材料を用いた膜天井を提供することを課題とする。
【課題を解決するための手段】
【０００９】
本発明者等は、特許文献１に開示されている膜天井用ガラスクロスが、該ガラスクロスを懸垂させた膜天井とした場合、該膜天井用ガラスクロスにシワが発生しやすい原因について検討した。
【００１０】
元々ガラスクロスは硬く、ポリエステル繊維等合成繊維を用いた織物に比してシワが発生しやすい傾向にある。そして、例えば、特許文献１で具体的な実施態様として開示されている実施例の膜天井用ガラスクロスは、緯方向の硬さが不十分であり、これに起因して経方向に沿ってシワが発生しやすくなることを突き止めた。
【００１１】
そこで、本発明者がさらに鋭意検討したところ、ガラス繊維織物と、該ガラス繊維織物にコーティング又は貼着された樹脂と、を含むものとし、当該樹脂の種類及び量、当該ガラス繊維織物の緯糸構成、織密度等を適切に制御し、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性を特定範囲とすることにより、ガラス繊維織物を含む膜材料を経方向に懸垂させた膜天井とした場合にも経方向に沿うシワの発生を抑制することができることを見出した。本発明は、かかる知見に基づいて、更に検討を重ねることにより完成するに至った。
【００１２】
即ち、本発明は、下記に掲げる態様の膜材料及びこれを用いた膜天井を提供する。
項１．ガラス繊維織物と、該ガラス繊維織物にコーティング又は貼着された樹脂と、を含む膜材料であって、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上である、膜材料。
項２．ＫＥＳ  ＦＢ−２  ＰＵＲＥＢＥＮＧＩＮＧＴＥＳＴＥＲにより測定される前記膜材料の、前記ガラス繊維織物の経方向における曲げ特性が１０〜４０ｇｆ・ｃｍ２／ｃｍである、項１に記載の膜材料。
項３．前記ガラス繊維織物の緯方向における曲げ特性と前記ガラス繊維織物の経方向における曲げ特性との比（ガラス繊維織物の緯方向における曲げ特性／ガラス繊維織物の経方向における曲げ特性）が１．１〜１．６である、項１又は２に記載の膜材料。
項４．前記膜材料の質量（ｇ／ｍ２）に対する前記樹脂の質量（ｇ／ｍ２）の割合が１２〜２５質量％である、項１〜３のいずれか１項に記載の膜材料。
項５．前記ガラス繊維織物が平織組織である、項１〜４のいずれか１項に記載の膜材料。
項６．前記樹脂が、非晶性の熱可塑性樹脂である、項１〜５のいずれか１項に記載の膜材料。
項７．前記項１〜６のいずれか１項に記載の膜材料を含む膜天井。
項８．前記膜材料が前記ガラス繊維織物の経方向に自由懸垂した状態で配置される、項７に記載の膜天井。
【発明の効果】
【００１３】
本発明によれば、ガラス繊維織物と、該ガラス繊維織物にコーティング又は貼着された樹脂と、を含む膜材料であって、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上であることから、ガラス繊維織物を含む膜材料を経方向に懸垂させた膜天井とした場合にも経方向に沿うシワの発生を抑制することができる。従って、本発明の膜材料を膜天井とした場合は、経方向に沿うシワの発生が抑制可能となり、美感に優れたものとなりやすくなる。
【図面の簡単な説明】
【００１４】
【図１】非特許文献１から引用した、膜天井の主な工法のうち、２辺定着タイプの例を説明する模式図である。
【図２】非特許文献１から引用した、膜天井の主な工法のうち、ポイント定着タイプの例を説明する模式図である。
【発明を実施するための形態】
【００１５】
本発明の膜材料は、ガラス繊維織物と、該ガラス繊維織物にコーティング又は貼着された樹脂と、を含み、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上である。以下、本発明の膜材料について詳細に説明する。
【００１６】
＜ガラス繊維織物＞
本発明の膜材料は、ガラス繊維織物を含む。これにより、本発明の膜材料を膜天井とする場合、比較的軽量なものとしつつ不燃性を高めやすくなり、室内の吸音性を高める機能も果たす。
【００１７】
ガラス繊維を構成するガラス材料としては、特に制限されず、公知のガラス材料を用いることができる。ガラス材料として、具体的には、無アルカリガラス（Ｅガラス）、耐酸性の含アルカリガラス（Ｃガラス）、高強度・高弾性率ガラス（Ｓガラス、Ｔガラス等）、耐アルカリ性ガラス（ＡＲガラス）、等が挙げられる。
【００１８】
ガラス繊維織物を構成するガラス繊維としては、長繊維である単繊維が複数本撚り合わされたガラスヤーンが好ましい。中でも緯糸としては、ガラスヤーンの中でも、ガラスヤーンがエアージェット等で嵩高に加工されてなるバルキー加工糸がより好ましい。バルキー加工糸は、樹脂組成物溶液をより均一に吸収し易く、ガラスヤーンに付着させる樹脂量を比較的少なくした場合でも曲げ特性が硬いものとより一層なりやすい。従って、緯糸をバルキー加工糸とした場合は、比較的少ない樹脂量で緯方向の曲げ特性がより一層硬いものとしやすくなることから、ガラス繊維織物を含む膜材料を経方向に懸垂させた膜天井とした場合にも経方向に沿うシワの発生を抑制することと、不燃性とを、より一層両立しやすくなる。また、バルキー加工糸は嵩高であり、比較的少ない打ち込み本数（緯方向の織密度）で緯糸間の隙間を小さくしやすいことから、生産性良く膜材料の吸音性と不燃性とを優れたものとしやすくなる。バルキー加工糸の中でも、複数のガラスヤーンが該ガラスヤーンの撚り方向とは反対方向に撚り合わされた合撚糸がエアージェット等で嵩高に加工されてなるバルキー加工糸とすることが好ましい。この場合、上記シワの発生の抑制と、吸音性と、不燃性とを一層両立するという観点から、Ｓ方向又はＺ方向に撚られた単糸であるガラスヤーンが２〜４本該ガラスヤーンとは反対方向に撚り合わされた合撚糸がエアージェット等で嵩高に加工されてなるバルキー加工糸とすることが好ましい。また、経糸としては、特に制限されないが、比較的少ない経方向の織密度としても効果的に経糸間の隙間を調整して吸音性と不燃性とをより高めやすくするという観点から、複数のガラスヤーンが該ガラスヤーンの撚り方向とは反対方向に撚り合わされてなる合撚糸とすることが好ましく、２〜４本のガラスヤーン（単糸）が該ガラスヤーンの撚り方向とは反対方向に撚り合わされてなる合撚糸とすることがより好ましい。上記バルキー加工糸とする場合の、合撚糸の撚り数（上撚り数）としては、２〜５回／２５ｍｍが好ましく、３．０〜４．５回／２５ｍｍがより好ましく挙げられる。また、上記合撚糸とする場合の撚り数（上撚り数）としては、２〜５回／２５ｍｍが好ましく、３．０〜４．５回／２５ｍｍがより好ましく挙げられる。
【００１９】
ヤーン（単糸）における単繊維の本数は、特に制限されないが、３０〜８００本が好ましい。中でも、緯糸としては、１００〜８００本の単繊維からなるヤーン（単糸）が複数本撚り合わされた合撚糸がエアージェット等で嵩高に加工されてなるバルキー加工糸とすることが好ましい。また、経糸としては、１００〜８００本の単繊維からなるヤーン（単糸）が複数本撚り合わされた合撚糸とすることが好ましい。ヤーンにおける単繊維の直径は、例えば３．０〜１２．０μｍが挙げられ、５．０〜９．０μｍが好ましく挙げられる。ガラスヤーンの番手としては、例えば、１０〜１０００ｔｅｘが挙げられ、１００〜５００ｔｅｘが好ましく挙げられる。中でも、緯糸をバルキー加工糸とする場合の、該バルキー加工糸の番手としては、１００〜５００ｔｅｘが挙げられ、２００〜４００ｔｅｘが好ましく挙げられ、２５０〜３５０ｔｅｘがより好ましく挙げられる。また、経糸を合撚糸とする場合の、該合撚糸の番手としては、例えば、５０〜５００ｔｅｘが挙げられ、５０〜２００ｔｅｘが好ましく挙げられ、１００〜１８０ｔｅｘがより好ましく挙げられる。緯糸の番手と経糸の番手との比（緯糸の番手／経糸の番手）としては、ガラス繊維織物を含む膜材料を経方向に懸垂させた膜天井とした場合にも経方向に沿うシワの発生を抑制することと、吸音性と、不燃性とを一層両立するという観点から、例えば、１〜５が挙げられ、２〜４が好ましく挙げられ、２〜２．５がより好ましく挙げられる。また、ガラスヤーンは、緯方向または経方向における曲げ特性を調整する目的で、樹脂等で被覆されたコーテッドヤーンとすることもできる。該樹脂等としては、塩化ビニル樹脂等の熱可塑性樹脂が挙げられる。
【００２０】
本発明において、ガラス繊維織物の織組織としては限定されず、例えば、平織、朱子織、綾織、斜子織、畦織、経二重織、緯二重織、二重織等が挙げられる。中でも、膜材料のシワの発生や膨れ等をより一層抑制し、膜天井とした場合の美感をより一層高める観点から、平織が好ましく、特に平織のガラス繊維織物を１枚含む膜材料とすることがより好ましい。具体的に、二重織や、ガラス繊維織物を複数重ねたものとした場合は、膜材料を運搬等のためロール状にしたとき、ロールの内側になるガラス織物は、ロールの外側になるガラス織物に比して長尺方向にあまりやすくなり、これを巻き出して膜天井としたときにシワが発生しやすくなる場合がある。
【００２１】
本発明において、ガラス繊維織物の織密度としては、特に限定されない。例えば、膜材料の不燃性及び吸音性を高めることを目的として、適宜調整することができ、例えば、１０〜２００本／２５ｍｍが挙げられ、１０〜１００本／２５ｍｍが好ましく挙げられる。この場合、経糸間の隙間の間隔及び緯糸間の隙間の間隔を０．５ｍｍ以下となるようにすると、不燃性により優れたものとしやすくなる。また、経糸と緯糸との織密度の比（緯糸の織密度／経糸の織密度）としては、０．４〜１．０が挙げられ、不燃性と吸音性とを一層優れたものとする観点から、０．４〜０．７５が好ましく、０．４〜０．６４がより好ましく、０．５〜０．６が特に好ましく挙げられる。ガラス繊維織物の質量（ｇ／ｍ２）としては、特に制限されないが、例えば、１００〜１０００ｇ／ｍ２が挙げられ、２００〜６００ｇ／ｍ２が好ましく挙げられ、３５０〜４５０ｇ／ｍ２がより好ましく挙げられる。また、本発明において、ガラス繊維織物の厚さ（ｍｍ）としては、特に制限されないが、例えば、０．２〜０．８ｍｍが挙げられ、０．３〜０．５ｍｍが好ましく挙げられ、０．４〜０．５ｍｍがより好ましく挙げられる。
【００２２】
本発明において、ガラス繊維織物は、ガラス繊維織物を含む膜材料を経方向に懸垂させた膜天井とした場合にも経方向に沿うシワの発生を抑制することと、吸音性と、不燃性とを一層両立するという観点から、経糸として番手が１００〜１８０ｔｅｘの合撚糸、緯糸として番手が２５０〜３５０ｔｅｘのバルキー加工糸を含み、該経糸の織密度が２０〜４０本／２５ｍｍ、緯糸の織密度が１０〜３０本／２５ｍｍであって、該緯糸の番手と該経糸の番手との比（緯糸の番手／経糸の番手）が２〜４とすることがより一層好ましく、経糸として番手が１００〜１８０ｔｅｘの合撚糸、緯糸として番手が２５０〜３５０ｔｅｘのバルキー加工糸を含み、該経糸の織密度が２５〜３５本／２５ｍｍ、緯糸の織密度が１５〜２０本／２５ｍｍ、該経糸の織密度と該緯糸の織密度との比（緯糸の織密度／経糸の織密度）が０．５〜０．６であって、該緯糸の番手と該経糸の番手との比（緯糸の番手／経糸の番手）が２〜４とすることがより一層好ましい。
【００２３】
（ガラス繊維織物にコーティング又は貼着された樹脂）
本発明の膜材料は、ガラス繊維織物にコーティング又は貼着された樹脂を含む。これにより、ガラス繊維織物を含む膜材料を経方向に懸垂させた膜天井とした場合にも経方向に沿うシワの発生を抑制することができる。換言すれば、該樹脂が無いガラス繊維織物は、ガラス繊維織物を含む膜材料を経方向に懸垂させた膜天井とした場合に経方向に沿うシワの発生を抑制することができない。
【００２４】
本発明において、樹脂の種類としては、特に限定されない。例えば、ビニルエステル樹脂、ウレタンアクリレート樹脂、フルオレンアクリレート樹脂、不飽和ポリエステル樹脂等の硬化性樹脂、塩化ビニル系樹脂（塩化ビニルの単独重合体、塩化ビニルと他のモノマーとの共重合体が含まれる。）、アクリル系樹脂（アクリル酸、アクリル酸エステル、アクリルアミド、アクリロニトリル、メタクリル酸，メタアクリル酸エステルなどの重合体及び共重合体が含まれる。）、飽和ポリエステル樹脂、ポリアミド樹脂等の熱可塑性樹脂等が挙げられる。ところで、膜材料を広面積の膜天井とする場合、膜材料が膜天井施工現場で接合させやすいものであることが望まれ、該接合方法としては高周波誘電加熱による接合が望まれる。そして、高周波誘電加熱により接合しやすくするという観点から、上記樹脂の種類としては、非晶性の熱可塑性樹脂であることが好ましい。非晶性の熱可塑性樹脂としては、例えば、アクリル系樹脂、ポリカーボネート樹脂、ＡＢＳ樹脂、ポリスチレン樹脂、脂環式構造を有する重合体、セルロース系樹脂、塩化ビニル系樹脂、ポリスルホン、ポリスルホンエーテル等が挙げられる。非晶性の熱可塑性樹脂の中でも、ガラス繊維織物を含む膜材料を経方向に懸垂させた膜天井とした場合にも経方向に沿うシワの発生を抑制することと、不燃性とをより両立するという観点から、比較的少ない樹脂量で効果的に曲げ特性が硬いものとしやすくなるものが好ましく、例えば、硬質塩化ビニル系樹脂、アクリル系樹脂が好ましく挙げられる。中でも、上記少ない樹脂量としたときのシワの抑制効果と、不燃性と、高周波誘電加熱による接合のし易さとをより一層両立する観点から、塩化ビニル−（メタ）アクリル酸エステル共重合体が特に好ましい。上記塩化ビニル−（メタ）アクリル酸エステル共重合体とする場合は、塩化ビニル単位の共重合比を高めることにより、少ない樹脂量としたときのシワの抑制効果をより高めやすくすることができる。この場合、塩化ビニル−（メタ）アクリル酸エステル共重合体における塩化ビニル単位の共重合割合としては、４０〜９０質量％が好ましく、７０〜９０質量％がより好ましく、７５〜８５質量％が特に好ましい。
【００２５】
本発明において、ガラス繊維織物にコーティング又は貼着された樹脂の質量（ｇ／ｍ２）としては、例えば、３０〜１２０ｇ／ｍ２が挙げられる。中でも、ガラス繊維織物を含む膜材料を経方向に懸垂させた膜天井とした場合にも経方向に沿うシワの発生を抑制することと、不燃性と、吸音性と、高周波誘電加熱による接合し易さとをより一層両立させやすくするという観点から、５０〜１００ｇ／ｍ２が好ましく、７０〜９０ｇ／ｍ２がより好ましい。
【００２６】
本発明において、ガラス繊維織物にコーティング又は貼着された樹脂は、他の成分と混合等した樹脂組成物とすることができる。該樹脂組成物に含まれる他の成分としては、例えば、架橋剤、有機顔料、無機顔料等の着色顔料、染料、紫外線吸収剤、赤外線吸収剤等の添加剤等が挙げられる。中でも、ガラス繊維織物を含む膜材料を経方向に懸垂させた膜天井とした場合にも経方向に沿うシワの発生を抑制することと、不燃性とをより両立するという観点から、比較的少ない樹脂量で効果的に曲げ特性が特定範囲のものとしやすくするべく、ガラス繊維織物にコーティング又は貼着された樹脂又は当該樹脂組成物として、可塑剤の含有量が少ないものが好ましい。本発明の膜材料において、可塑剤の含有量としては、ガラス繊維織物にコーティング又は貼着された樹脂１００質量部に対し、５質量部以下が挙げられ、３質量部以下が好ましく挙げられ、１質量部以下がより好ましく挙げられ、０質量部（すなわち、本発明の膜材料が可塑剤を含有しない。）が特に好ましく挙げられる。本発明において、可塑剤とは、熱可塑性樹脂に添加され、該熱可塑性樹脂に柔軟性を与えるものとして公知の成分であり、例えば、フタル酸系可塑剤、トリメリット酸エステル系可塑剤、脂肪族多塩基酸系可塑剤、リン酸エステル系可塑剤、エポキシ系可塑剤、脂肪酸エステル系可塑剤、多価アルコールエステル系可塑剤、アルコール系可塑剤、脂肪酸系可塑剤、アミド系可塑剤、高分子系可塑剤、鉱物油、植物油等が挙げられる。具体的に、フタル酸系可塑剤としては、例えば、フタル酸ジメチル、フタル酸ジエチル、フタル酸ジ−ｎ−ブチル、フタル酸ジ−ｎ−オクチル、フタル酸ジ−ｎ−エチルヘキシル、フタル酸ジイソオクチル、フタル酸ジ−ｎ−オクチル、フタル酸ジ−ｎ−デシル、フタル酸ジイソデシル、フタル酸ジ−ｎ−ドデシル、フタル酸ジイソトリデシル、フタル酸ジシクロヘキシル、フタル酸ブチルベンジル、フタル酸ジ−２−エチルヘキシル、イソフタル酸ジ−２−エチルヘキシルが挙げられ、トリメリット酸エステル系可塑剤としては、例えば、トリメリット酸トリ−２−エチルヘキシル、トリメリット酸トリイソデシルが挙げられ、脂肪族多塩基酸系可塑剤としては、例えば、アジピン酸ジイソブチル、アジピン酸ヘキシル、アジピン酸ジ−ｎ−デシル、アジピン酸ジイソデシル、アジピン酸ジ−２−エチルヘキシル、アゼライン酸ジ−２−エチルヘキシル、セバシン酸ジブチル、セバシン酸ジ−２−エチルヘキシル、アジピン酸メトキシエチル、ｏ−アセチルクエン酸トリブチル、ｏ−アセチルクエン酸トリエチルが挙げられ、リン酸エステル系可塑剤としては、例えば、リン酸トリエチル、リン酸トリブチル、リン酸トリ−２−エチルヘキシル、リン酸ジフェニルエチル、リン酸トリクレジールが挙げられ、エポキシ系可塑剤としては、例えば、エポキシ化大豆油、エポキシ化トール油脂肪酸−２−エチルヘキシルが挙げられ、脂肪酸エステル系可塑剤としては、例えば、ステアリン酸ブチル、オレイン酸ブチル、塩素化パラフィン、塩素化脂肪酸メチル、ステアリン酸ブトキシエチル、オレイン酸メトキシエチル、酢酸２−（ｐ−ｔｅｒｔ−ブチルフェノキシエチル）が挙げられ、多価アルコールエステル系可塑剤としては、例えば、ブチルフタリルブチルグリコレート、グリセロールトリブチレート、トリエチレングリコールジペラルゴネートが挙げられ、アルコール系可塑剤としては、例えば、２−（ｐ−ｔｅｒｔ−アミルフェノキシ）エタノール、２−（ｐ−ｔｅｒｔ−ブチルフェノキシ）エタノール、ジアミルフェノキシエタノール、セチルアルコール、ミリスチルアルコール、ステアリルアルコールが挙げられ、脂肪酸系可塑剤としては、例えば、オレイン酸、リシノール酸、ステアリン酸が挙げられ、アミド系可塑剤としては、例えば、アジピン酸ビスジブチルアミド、ラウリン酸ジブチルアミド、ジエチルジフェニル尿素、ｐ−トルエンスルホンアミド、エチル−ｐ−トルエンスルホンアミドが挙げられ、高分子系可塑剤としては、例えば、ポリエチレングリコールジメチルエーテル、ポリエチレングリコール安息香酸エステル、エステル基を含有する高分子化合物（アジピン酸、セバシン酸、フタル酸等の２塩基酸と１，２−プロピレングリコール、１，３−プロピレングリコール等の重縮合物）が挙げられる。
【００２７】
本発明において、膜材料の質量（ｇ／ｍ２）に対する樹脂の質量（ｇ／ｍ２）の割合は１２〜２５質量％であることが好ましい。また、本発明において、膜材料の質量（ｇ／ｍ２）に対するガラス繊維織物の質量（ｇ／ｍ２）の割合は７５〜８８質量％であることが好ましい。このようにすることにより、ガラス繊維織物を含む膜材料を経方向に懸垂させた膜天井とした場合にも経方向に沿うシワの発生を抑制することと、不燃性と、吸音性と、高周波誘電加熱による接合し易さと、膜材料を折り曲げたときの白化の発生抑制と、をより一層両立させやすくすることができる。
【００２８】
（膜材料の特性）
【００２９】
（曲げ特性）
本発明の膜材料は、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上である。これにより、ガラス繊維織物を含む膜材料を経方向に懸垂させた膜天井とした場合にも経方向に沿うシワの発生を抑制することができる。本発明において、膜材料の曲げ特性は、具体的に、各サンプルの所定領域の１ｃｍ幅を試料として１ｃｍ間隔のチャック間に固定し、最大曲率＋２．５ｃｍ−１まで表側に曲げ、次に、最大曲率−２．５ｃｍ−１まで裏側に曲げた後に元に戻すことによって測定する。
【００３０】
ガラス繊維織物を含む膜材料を経方向に懸垂させた膜天井とした場合にも経方向に沿うシワの発生を抑制することと、不燃性とをより両立するという観点から、上記緯方向における曲げ特性は、２４〜５０ｇｆ・ｃｍ２／ｃｍが好ましく、３０〜５０ｇｆ・ｃｍ２／ｃｍがより好ましい。
【００３１】
上記緯方向における曲げ特性を２４ｇｆ・ｃｍ２／ｃｍ以上とする方法としては、ガラス繊維織物にコーティング又は貼着された樹脂を含むものとすることが必要である。これ以外としては、例えば、ガラス繊維織物の緯糸をバルキー加工糸としたり、緯糸の番手や繊維径を大きいものとしたり、ガラス繊維織物にコーティング又は貼着される樹脂の量、種類を調整したりすることが挙げられる。樹脂又は樹脂組成物を硬度が高いものを選択したり、該硬度が高い樹脂や硬度を高める共重合成分の含有量を高めたりすることも効果的であり、樹脂又は樹脂組成物の硬度としては、例えば、ＪＩＳ  Ｋ７２１５で規定されるショアーＤ硬度が４０以上が挙げられ、好ましくは５０〜９０程度、より好ましくは６０〜９０程度、さらに好ましくは７０〜９０程度が挙げられる。また、樹脂組成物の硬度を高めるために、架橋剤等を用いることもできる。
【００３２】
本発明の膜材料において、ＫＥＳ  ＦＢ−２  ＰＵＲＥＢＥＮＧＩＮＧＴＥＳＴＥＲにより測定される膜材料の、ガラス繊維織物の経方向における曲げ特性が、１０〜４０ｇｆ・ｃｍ２／ｃｍであることが好ましく、１５〜３５ｇｆ・ｃｍ２／ｃｍであることがより好ましく、２５〜３５ｇｆ・ｃｍ２／ｃｍであることが特に好ましい。このような範囲とすることにより、例えば、膜材料を経方向に懸垂させた場合、特に２辺定着タイプとして経方向に懸垂させた場合に端部（ガラス繊維織物の耳部に相当する部分）がたるみにくくなることと、不燃性とをより両立させやすくなる。
【００３３】
（吸音性）
本発明の膜材料は、垂直入射吸音率が０．５以上であることが好ましく、０．６〜０．９であることがより好ましい。本発明において、垂直入射吸音率は、以下のように測定されるものである。すなわち、ＪＩＳ  Ａ  １４０５−２：１９９８に準じ、株式会社小野測器製ＳＲ−４１００を使用し、試料を直径１００ｍｍ、背後空気層として３００ｍｍの空間を設けた。周波数１００Ｈｚ〜１６００Ｈｚにおいて吸音率を２Ｈｚごとに測定し、各周波数の吸音率の算術平均値を本発明における垂直入射吸音率とする。
【００３４】
吸音率を上記範囲とする方法としては、例えば、ガラス繊維織物を構成する経糸又は緯糸としてバルキー加工糸を用いたり、また、本発明の膜材料が吸音性を高める微細孔を有するよう、ガラス繊維織物の織密度を調整したり、樹脂の含有量を調整したりすることが挙げられる。また、本発明の膜材料の通気度を、１０〜３０ｃｍ３／ｃｍ２／秒とすることも有効な方法として挙げられる。
【００３５】
（不燃性）
本発明の膜材料は、ガラス繊維織物を含むことから、不燃性に優れる。本発明の各材料の持つ不燃性をより一層優れたものとする観点から、本発明の膜材料が以下の要件を満足することが好ましい。
＜要件＞
一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後２０分間、最高発熱速度が１０秒以上継続して２００ｋＷ／ｍ２を超えず、加熱開始後２０分間の総発熱量が８ＭＪ／ｍ２以下である。
【００３６】
本発明の膜材料が上記要件を満足するものとする方法としては、例えば、ガラス繊維織物にコーティング又は貼着される樹脂の量の調整、種類の選択をしたり、難燃剤を含有する樹脂組成物としたり、することができる。上記樹脂の種類としては、例えば、塩化ビニル樹脂等ハロゲンを含有するものとすることが好ましく、ガラス繊維織物を含む膜材料を経方向に懸垂させた膜天井とした場合にも経方向に沿うシワの発生を抑制することと、不燃性とをより両立するという観点から、塩化ビニル樹脂及びアクリル樹脂を含むものとしたり、塩化ビニル−アクリル酸エステル共重合体としたりすることができる。
【００３７】
また、本発明の膜材料は、一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、加熱開始後２０分間、０．５ｍｍ四方以上の貫通孔がないものであることがより好ましい。この要件を満足しやすくする方法としては、例えば、ガラス繊維織物を構成する経糸間の隙間間隔及び緯糸間の隙間間隔を０．５ｍｍ以下となるよう、織密度及び経糸構成及び緯糸構成を調整、選択すること等が挙げられる。
【００３８】
（質量及び厚さ）
本発明の膜材料の質量としては、特に制限されない。当該質量としては、例えば、２００〜１０００ｇ／ｍ２が挙げられる。例えば、本発明の膜材料を１枚続きの膜天井（本発明の膜材料を高周波誘導加熱により接合したものを含む。）とした場合であって、該１枚続きの膜天井の面積を２５ｍ２以上と広面積のものとした場合に、膜材料をより軽量化し、取り扱い性をより向上させつつ、膜天井を固定する部品点数をより少なくするという観点から、上記質量としては、２００〜５５０ｇ／ｍ２とすることが特に好ましい。また、不燃性等も考慮し、ガラス繊維織物の質量を適切なものとしつつ、膜材料の質量を４００〜５５０ｇ／ｍ２とすることもできる。また、厚さとしては、特に制限されないが、例えば、０．３〜０．８ｍｍが挙げられ、取り扱い性の観点から０．４８〜０．６０ｍｍが好ましく挙げられる。
【実施例】
【００３９】
以下に、実施例を示して本発明を詳細に説明する。ただし、本発明は、実施例に限定されない。
【００４０】
（実施例１）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が１８本／２５ｍｍとなるように平織組織で製織し、ガラス繊維織物を得た。
【００４１】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は１８本／２５ｍｍ、ガラス繊維織物の厚さは０．４３ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４６０ｇ／ｍ２、膜材料の厚さは０．６０ｍｍであった。なお、得られた膜材料中の可塑剤の含有量は、塩化ビニル−アクリル酸エステル共重合体１００質量部に対し、５質量部以下であった。
【００４２】
（実施例２）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が１８本／２５ｍｍとなるように平織組織で製織し、ガラス繊維織物を得た。
【００４３】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を７５質量部、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を２５質量部混合した樹脂溶液を準備した。該樹脂溶液に上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は１８本／２５ｍｍ、ガラス繊維織物の厚さは０．４３ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４６０ｇ／ｍ２、膜材料の厚さは０．６０ｍｍであった。なお、得られた膜材料中の可塑剤の含有量は、塩化ビニル−アクリル酸エステル共重合体１００質量部に対し、５質量部以下であった。
【００４４】
（実施例３）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が１８本／２５ｍｍとなるように平織組織で製織し、ガラス繊維織物を得た。
【００４５】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を５０質量部、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を５０質量部混合した樹脂溶液を準備した。該樹脂溶液に上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は１８本／２５ｍｍ、ガラス繊維織物の厚さは０．４３ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４６０ｇ／ｍ２、膜材料の厚さは０．６０ｍｍであった。なお、得られた膜材料中の可塑剤の含有量は、塩化ビニル−アクリル酸エステル共重合体１００質量部に対し、５質量部以下であった。
【００４６】
（実施例４）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が２０本／２５ｍｍとなるように平織組織で製織し、ガラス繊維織物を得た。
【００４７】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は２０本／２５ｍｍ、ガラス繊維織物の厚さは０．４５ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４８０ｇ／ｍ２、膜材料の厚さは０．６２ｍｍであった。なお、得られた膜材料中の可塑剤の含有量は、塩化ビニル−アクリル酸エステル共重合体１００質量部に対し、５質量部以下であった。
【００４８】
（実施例５）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が２２本／２５ｍｍとなるように平織組織で製織し、ガラス繊維織物を得た。
【００４９】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は２２本／２５ｍｍ、ガラス繊維織物の厚さは０．４７ｍｍ、ガラス繊維織物の経糸間の隙間の間隔及び緯糸間の隙間の間隔は０．５ｍｍ以下、樹脂の質量は８５ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が５０５ｇ／ｍ２、膜材料の厚さは０．６４ｍｍであった。なお、得られた膜材料中の可塑剤の含有量は、塩化ビニル−アクリル酸エステル共重合体１００質量部に対し、５質量部以下であった。
【００５０】
（実施例６）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が１９本／２５ｍｍ、緯糸密度が２０本／２５ｍｍとなるように平織組織で製織し、ガラス繊維織物を得た。
【００５１】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１８質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は１９本／２５ｍｍ、緯方向の織密度は２０本／２５ｍｍ、ガラス繊維織物の厚さは０．３５ｍｍ、ガラス繊維織物の経糸間の隙間の間隔が０．５ｍｍを超え、樹脂の質量は６５ｇ／ｍ２、膜材料の質量（ｇ／ｍ２）に対する樹脂の質量（ｇ／ｍ２）の割合が１８質量％、膜材料の質量（ｇ／ｍ２）に対するガラス繊維織物の質量（ｇ／ｍ２）の割合が８２質量％、膜材料の質量が３６５ｇ／ｍ２、膜材料の厚さは０．５ｍｍであった。なお、得られた膜材料中の可塑剤の含有量は、塩化ビニル−アクリル酸エステル共重合体１００質量部に対し、５質量部以下であった。
【００５２】
（実施例７）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が１９本／２５ｍｍ、緯糸密度が２２本／２５ｍｍとなるように平織組織で製織し、ガラス繊維織物を得た。
【００５３】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は１９本／２５ｍｍ、緯方向の織密度は２２本／２５ｍｍ、ガラス繊維織物の厚さは０．３５ｍｍ、ガラス繊維織物の経糸間の隙間の間隔が０．５ｍｍを超え、樹脂の質量は６５ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が３８５ｇ／ｍ２、膜材料の厚さは０．５ｍｍであった。なお、得られた膜材料中の可塑剤の含有量は、塩化ビニル−アクリル酸エステル共重合体１００質量部に対し、５質量部以下であった。
【００５４】
（実施例８）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が１９本／２５ｍｍ、緯糸密度が２５本／２５ｍｍとなるように平織組織で製織し、ガラス繊維織物を得た。
【００５５】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１６質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は１９本／２５ｍｍ、緯方向の織密度は２５本／２５ｍｍ、ガラス繊維織物の厚さは０．３５ｍｍ、ガラス繊維織物の経糸間の隙間の間隔が０．５ｍｍを超え、樹脂の質量は６５ｇ／ｍ２、膜材料の質量（ｇ／ｍ２）に対する樹脂の質量（ｇ／ｍ２）の割合が１６質量％、膜材料の質量（ｇ／ｍ２）に対するガラス繊維織物の質量（ｇ／ｍ２）の割合が８４質量％、膜材料の質量が４０５ｇ／ｍ２、膜材料の厚さは０．５ｍｍであった。なお、得られた膜材料中の可塑剤の含有量は、塩化ビニル−アクリル酸エステル共重合体１００質量部に対し、５質量部以下であった。
【００５６】
（実施例９）
（ガラス繊維織物の準備）
まず、経糸としてユニチカグラスファイバー株式会社製合撚糸（商品名ＥＣＧ３７  １／０  １．０Ｚ）、緯糸としてユニチカグラスファイバー株式会社製バルキー加工糸（商品名ＴＤＥ３００）を準備した。上記経糸及び緯糸を用い、経糸密度が２５本／２５ｍｍ、緯糸密度が２２本／２５ｍｍとなるように平織組織で製織し、ガラス繊維織物を得た。
【００５７】
（樹脂コーティング）
コーティングする樹脂として、塩化ビニル−アクリル酸エステル共重合体エマルジョンＡ（塩化ビニルユニット／アクリル酸エステルユニットの質量比８０／２０、固形分４３質量％、ビニブラン（登録商標）２７８）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は２５本／２５ｍｍ、緯方向の織密度は２２本／２５ｍｍ、ガラス繊維織物の厚さは０．３４ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４７０ｇ／ｍ２、膜材料の厚さは０．４８ｍｍであった。なお、得られた膜材料中の可塑剤の含有量は、塩化ビニル−アクリル酸エステル共重合体１００質量部に対し、５質量部以下であった。
【００５８】
（比較例１）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製バルキー加工糸（商品名ＴＤＥ３００）を準備した。上記経糸及び緯糸を用い、経糸密度が３１本／２５ｍｍ、緯糸密度が１８本／２５ｍｍとなるように平織組織で製織し、ガラス繊維織物を得た。
【００５９】
（樹脂コーティング）
コーティングする樹脂として、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は１８本／２５ｍｍ、ガラス繊維織物の厚さは０．４３ｍｍ、ガラス繊維織物の経糸間の隙間の間隔及び緯糸間の隙間の間隔は０．５ｍｍ以下、樹脂の質量は８０ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が４６０ｇ／ｍ２、膜材料の厚さは０．６ｍｍであった。なお、得られた膜材料中の可塑剤の含有量は、塩化ビニル−アクリル酸エステル共重合体１００質量部に対し、５質量部以下であった。
【００６０】
（比較例２）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製合撚糸（商品名ＥＣＤＥ７５  １／２  ３．８Ｓ）を準備した。上記経糸及び緯糸を用い、経糸密度が３１本／２５ｍｍ、緯糸密度が２１本／２５ｍｍとなるように平織組織で製織し、ガラス繊維織物を得た。
【００６１】
（樹脂コーティング）
コーティングする樹脂として、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を準備した。該樹脂エマルジョンに上記得られたガラス繊維織物を浸漬し、得られる膜材料の質量（ｇ／ｍ２）に対する前記樹脂の質量（ｇ／ｍ２）の割合が１７質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は２１本／２５ｍｍ、ガラス繊維織物の厚さは０．３ｍｍ、ガラス繊維織物の経糸間の隙間の間隔が０．５ｍｍを超え、樹脂の質量は５５ｇ／ｍ２、膜材料の質量（ｇ／ｍ２）に対する樹脂の質量（ｇ／ｍ２）の割合が１７質量％、膜材料の質量（ｇ／ｍ２）に対するガラス繊維織物の質量（ｇ／ｍ２）の割合が８３質量％、膜材料の質量が３２５ｇ／ｍ２、膜材料の厚さは０．３１ｍｍであった。なお、得られた膜材料中の可塑剤の含有量は、塩化ビニル−アクリル酸エステル共重合体１００質量部に対し、５質量部以下であった。
【００６２】
（比較例３）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製合撚糸（商品名ＥＣＤＥ７５  １／２  ３．８Ｓ）を準備した。上記経糸及び緯糸を用い、経糸密度が３１本／２５ｍｍ、緯糸密度が２３本／２５ｍｍとなるように平織組織で製織し、ガラス繊維織物を得た。
【００６３】
（樹脂コーティング）
コーティングする樹脂として、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を準備した。該樹脂エマルジョンに上記得られたガラス繊維織物を浸漬し、得られる膜材料の質量（ｇ／ｍ２）に対する前記樹脂の質量（ｇ／ｍ２）の割合が１６質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は２３本／２５ｍｍ、ガラス繊維織物の厚さは０．３ｍｍ、ガラス繊維織物の経糸間の隙間の間隔が０．５ｍｍを超え、樹脂の質量は５５ｇ／ｍ２、膜材料の質量（ｇ／ｍ２）に対する樹脂の質量（ｇ／ｍ２）の割合が１６質量％、膜材料の質量（ｇ／ｍ２）に対するガラス繊維織物の質量（ｇ／ｍ２）の割合が８４質量％、膜材料の質量が３３５ｇ／ｍ２、膜材料の厚さは０．３１ｍｍであった。なお、得られた膜材料中の可塑剤の含有量は、塩化ビニル−アクリル酸エステル共重合体１００質量部に対し、５質量部以下であった。
【００６４】
（比較例４）
（ガラス繊維織物の準備）
まず、経糸としてユニチカグラスファイバー株式会社製合撚糸（商品名ＥＣＤＥ７５  １／２  ３．８Ｓ）、緯糸としてユニチカグラスファイバー株式会社製合撚糸（商品名ＥＣＤＥ７５  １／２  ３．８Ｓ）を準備した。上記経糸及び緯糸を用い、経糸密度が３１本／２５ｍｍ、緯糸密度が２５本／２５ｍｍとなるように平織組織で製織し、ガラス繊維織物を得た。
【００６５】
（樹脂コーティング）
コーティングする樹脂として、塩化ビニル−アクリル酸エステル共重合体エマルジョンＢ（塩化ビニルユニット／アクリル酸エステルユニットの質量比５０／５０、固形分４３質量％、ビニブラン（登録商標）２７１）を準備した。該樹脂エマルジョンに上記得られたガラス繊維織物を浸漬し、得られる膜材料の質量（ｇ／ｍ２）に対する前記樹脂の質量（ｇ／ｍ２）の割合が１６質量％となるように浸漬したガラス繊維織物をニップロールで絞り、温度１５０℃、時間３分の条件で乾燥し、本発明の膜材料を得た。得られた膜材料において、ガラス繊維織物の経方向の織密度は３１本／２５ｍｍ、緯方向の織密度は２５本／２５ｍｍ、ガラス繊維織物の厚さは０．３ｍｍ、ガラス繊維織物の経糸間の隙間の間隔及び緯糸間の隙間の間隔は０．５ｍｍ以下、樹脂の質量は５５ｇ／ｍ２、膜材料の質量（ｇ／ｍ２）に対する樹脂の質量（ｇ／ｍ２）の割合が１６質量％、膜材料の質量（ｇ／ｍ２）に対するガラス繊維織物の質量（ｇ／ｍ２）の割合８４質量％、膜材料の質量が３４５ｇ／ｍ２、膜材料の厚さは０．３１ｍｍであった。なお、得られた膜材料中の可塑剤の含有量は、塩化ビニル−アクリル酸エステル共重合体１００質量部に対し、５質量部以下であった。
【００６６】
（膜材料の評価）
実施例及び比較例の膜材料について、以下の評価をおこなった。
【００６７】
（１）ＫＥＳ  ＦＢ−２  ＰＵＲＥＢＥＮＧＩＮＧＴＥＳＴＥＲにより測定される膜材料の、前記ガラス繊維織物の緯方向及び経方向における曲げ特性（ｇｆ・ｃｍ２／ｃｍ）
前述した方法により測定した。
【００６８】
（２）膜材料の垂直入射吸音率
前述した方法により測定した。
【００６９】
（３）膜材料の不燃性
一般財団法人建材試験センターの「防耐火性能試験・評価業務方法書」（平成２６年３月１日変更版）における４．１０．２  発熱性試験・評価方法に従って測定される、輻射電気ヒーターからシートの表面に５０ｋＷ／ｍ２の輻射熱を照射する発熱性試験において、（Ｉ）加熱開始後２０分間、最高発熱速度が１０秒以上継続して２００ｋＷ／ｍ２を超えず、（ＩＩ）加熱開始後２０分間の総発熱量が８ＭＪ／ｍ２以下であり、（ＩＩＩ）加熱開始後２０分間、０．５ｍｍ四方以上の貫通孔がないものを○、上記（Ｉ）〜（ＩＩＩ）の３つの要件のうち、一つでも満足しないものがある場合は×として評価した。
【００７０】
（４）ガラス繊維織物を含む膜材料を経方向に懸垂させた膜天井とした場合のシワの発生
長さ２ｍ、幅５０ｃｍに切り出した膜材料を、１．８ｍ間隔に置いた棒にクリップではさみ、経方向に懸垂した状態で膜材料を設置してシワの発生について評価した。以下の基準により評価し、△以上を合格とした。
○：経方向に発生するシワが全く無く、実用上全く問題ないレベルであった。
△：経方向にシワが発生しているが、実用上問題ないレベルであった。
×：経方向に著しくシワが発生し、実用上問題あるレベルであった。
【００７１】
（５）ガラス繊維織物を含む膜材料を経方向に懸垂させた膜材料とした場合の端部（ガラス繊維織物の耳部に相当する部分）のたるみ発生
長さ２ｍ、幅５０ｃｍに切り出した膜材料を、１．８ｍ間隔に置いた棒にクリップではさみ、経方向に懸垂した状態で膜材料を設置して端部に発生するたるみについて評価した。以下の基準により評価し、△以上を合格とした
○：端部に発生するたるみが全く無く、実用上問題ないレベルであった。
△：端部にたるみは発生するが、実用上問題ないレベルであった。
×：端部にたるみが発生し、実用上問題のあるレベルであった。
【００７２】
（６）高周波誘電加熱による接合性
山本ビニター株式会社製ＹＰＯ−５Ａを用い、電流５Ａ、鉄板温度１００℃、接合時間４秒で接合したときに剥離性について評価した。以下の基準により評価し、２以上を合格とした。
３：手ではがそうとしても全く剥離せず、実用上全く問題ないレベルであった。
２：手ではがそうとすると剥離してしまうが、実用上問題ないレベルであった。
１：接着しておらず、実用上問題あるレベルであった。
【００７３】
（７）膜材料に折曲げ応力が繰り返し加わった時の白化のし易さ
ＪＩＳ  Ｒ  ３４２０：２０１３  ７．１４「クロスの耐折強さ」に従って試験を行い、膜材料試験片の折り曲げ部分における、折り曲げに起因する白線発生の有無を目視により観察し、該白線が確認された折り曲げ回数により評価した。なお、白線の有無の確認は、折り曲げ回数が５回、１０回、２０回、３０回、４０回、５０回、６０回、７０回、８０回、９０回、１００回の各回シートを黒台紙の上に設置して行った。また、試験片のｎ数は３とし、その平均値により評価した。該往復折り曲げ回数が多いほど、シートは、折曲げ応力が繰り返し加わっても白化を生じるのが抑制されていると評価される。そして、以下の基準により評価した。
５：折り曲げ回数が１００回でも白線がつかない
４：折り曲げ回数が１００回以下
３：折り曲げ回数が５０回以下
２：折り曲げ回数が２０回以下
１：折り曲げ回数が５回以下
【００７４】
得られた結果を表１に示す。
【００７５】
【表１】
2018089781.tif 000002
【００７６】
実施例１〜９の膜材料は、ガラス繊維織物と、該ガラス繊維織物にコーティング又は貼着された樹脂と、を含む膜材料であって、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、２４ｇｆ・ｃｍ２／ｃｍ以上であることから、ガラス繊維織物を含む膜材料を経方向に懸垂させた膜天井とした場合にも経方向に沿うシワの発生を抑制することができるものであり、該膜材料を膜天井とした場合に、経方向に沿うシワの発生が抑制可能となり、美感に優れたものとなりやすくなることが確認された。
【００７７】
中でも、実施例１、２、４、５及び９の膜材料は、ＫＥＳ  ＦＢ−２  ＰＵＲＥＢＥＮＧＩＮＧＴＥＳＴＥＲにより測定される前記膜材料の、前記ガラス繊維織物の緯方向における曲げ特性が、３０〜５０ｇｆ・ｃｍ２／ｃｍであり、かつ、経糸間の隙間の間隔及び緯糸間の隙間の間隔が０．５ｍｍ以下であることから、ガラス繊維織物を含む膜材料を経方向に懸垂させた膜天井とした場合にも経方向に沿うシワの発生を抑制することと、不燃性とをより両立するものであった。
【００７８】
実施例３と６とを比較すると、経方向における曲げ特性（ｇｆ・ｃｍ２／ｃｍ）は同等であるが、膜材料を経方向に懸垂させた膜天井とした場合の端部のたるみの評価は実施例６のほうが優れたものとなった。これは、実施例６が、経糸密度が比較的小さく、膜材料質量がより軽量なものとなっていることに起因している。その一方で、実施例６は、経糸密度が比較的小さく、ガラス繊維織物の経糸間の隙間の間隔が０．５ｍｍを超えてしまい、不燃性が劣るものとなった。しかし、実施例１、２、４、５及び９によれば、経糸密度を比較的大きくし、経糸間の隙間の間隔及び緯糸間の隙間の間隔が０．５ｍｍ以下とした結果、膜材料の質量は実施例３と同等であったにも関わらず、ガラス繊維織物の経方向における曲げ特性が２５〜３５ｇｆ・ｃｍ２／ｃｍであることから、膜材料を経方向に懸垂させた場合に端部がたるみにくくなることと、不燃性とをより両立させやすくなるものであった。
【００７９】
一方、比較例１〜４の膜材料は、実施例１〜９と比較し樹脂が柔らかいものであり、ガラス繊維織物の緯方向における曲げ特性が、２４ｇｆ・ｃｍ２／ｃｍ未満であったことから、ガラス繊維織物を含む膜材料を経方向に懸垂させた膜天井とした場合にも経方向に沿うシワの発生を抑制できないものであった。
【図１】
2018089781.tif 000003
【図２】
2018089781.tif 000004